(57)【要約】      （修正有）【課題】ネットワークサービスを提供する装置に対して、サービスを利用する機器に関する設定を通信機器を用いて簡単な手順で速やかに実施できる技術を提供する。【解決手段】サービスを利用する撮像装置と、サービスに関する設定を行う通信機器と、サービスを提供する機器設定装置とが通信可能に接続される。撮像装置は、自身の識別情報と利用サービスに関する管理情報のうち、少なくとも識別情報を通信機器へ送信し、通信機器から受信した管理情報を記録する。通信機器は、撮像装置から受信した管理情報が通信機器記録の管理情報と異なる場合、通信機器記録の管理情報を撮像装置に送信し、撮像装置から管理情報を未受信の場合、機器設定装置に対して管理情報の発行を要求し、受信した管理情報を撮像装置に送信し、この管理情報と撮像装置の識別情報とを関連付けて記録する。機器設定装置は、管理情報の発行要求に応じて、管理情報を生成し通信機器へ送信する。【選択図】図５
2015115011.tif 000002
【特許請求の範囲】
【請求項１】
サービスを利用する撮像装置と、前記撮像装置が利用するサービスに関する設定を行う通信機器と、サービスを提供する機器設定装置とが通信可能に接続されたシステムであって、
前記撮像装置は、
前記通信機器と通信する通信手段と、
前記撮像装置の識別情報と、前記撮像装置が利用するサービスの設定に関する管理情報のうち、少なくとも前記識別情報を前記通信機器へ送信する送信手段と、
前記通信機器から受信した管理情報を記録する記録手段と、を有し、
前記通信機器は、
前記撮像装置から前記管理情報を受信した場合、前記通信機器に記録されている管理情報と比較し、前記撮像装置から取得した管理情報が異なっている場合、前記通信機器に記録されている管理情報を前記撮像装置に送信する第１の送信手段と、
前記撮像装置から前記管理情報を受信していない場合、前記機器設定装置に対して管理情報の発行要求を送信し、前記管理情報の発行要求に応じて前記機器設定装置から受信した管理情報を前記撮像装置に送信する第２の送信手段と、
前記撮像装置へ送信した管理情報と前記撮像装置から取得した識別情報とを関連付けて記録する記録手段と、を有し、
前記機器設定装置は、
前記通信機器と通信する通信手段と、
前記通信機器から受信した管理情報の発行要求に応じて、前記管理情報を生成し、前記通信機器へ送信する第１の送信手段と、を有することを特徴とするシステム。
【請求項２】
前記通信機器は、
前記通信機器に記録されている管理情報が前記撮像装置から取得した管理情報と異なっている場合、前記機器設定装置に対して、前記撮像装置から取得した管理情報が利用された履歴があるか否かの判定を要求する要求手段と、
前記機器設定装置から前記管理情報が利用された履歴がないとの判定を受けた場合、前記機器設定装置に対して管理情報の発行要求を送信し、前記管理情報の発行要求に応じて前記機器設定装置から受信した管理情報を前記撮像装置に送信する第３の送信手段と、を有することを特徴とする請求項１に記載のシステム。
【請求項３】
前記通信機器は、
前記撮像装置が利用するサービスに関するサービス関連情報を入力する入力手段と、
前記入力されたサービス関連情報と前記管理情報とを前記機器設定装置へ送信する第４の送信手段と、を有し、
前記機器設定装置は、
前記通信機器から取得したサービス関連情報と前記管理情報とを関連付けて記録する記録手段を有することを特徴とする請求項１または２に記載のシステム。
【請求項４】
前記機器設定装置は、
前記通信機器からの前記判定の要求を受けて前記撮像装置から取得した管理情報が利用された履歴があるか否かを判定する判定手段と、
前記判定の結果を前記通信機器に送信する第２の送信手段と、を有し、
前記通信機器の第３の送信手段は、
前記機器設定装置において前記管理情報が利用された履歴がある場合に、前記管理情報を前記撮像装置へ送信することを特徴とする請求項２に記載のシステム。
【請求項５】
前記機器設定装置は、
前記通信機器からの前記判定の要求を受けて前記撮像装置から取得した管理情報が利用された履歴があるか否かを判定する判定手段と、
前記判定の結果を前記通信機器に送信する第２の送信手段と、を有し、
前記通信機器は、
前記機器設定装置において前記管理情報が利用された履歴がない場合に、前記撮像装置から取得した識別情報と管理情報を初期化する手段を有することを特徴とする請求項２に記載のシステム。
【請求項６】
前記機器設定装置は、
前記通信機器から受信した管理情報に基づいて、前記撮像装置が利用するサービスのリストを作成する作成手段と、
前記リストを前記通信機器に送信する第３の送信手段と、を有し、
前記通信機器は、
前記機器設定装置から取得したサービスを一覧表示する表示手段を有することを特徴とする請求項１ないし５のいずれか１項に記載のシステム。
【請求項７】
前記通信機器は、
前記機器設定装置に対して前記撮像装置が利用しているサービスの利用を停止するためのサービス利用停止を要求する手段と、
前記機器設定装置から取得したサービス利用停止情報と停止対象の撮像装置の識別情報と管理情報とを記録する手段と、を有し、
前記機器設定装置は、
前記通信機器から受けたサービス利用停止要求に対して前記撮像装置のサービス利用停止情報を送信する送信手段と、
前記サービス利用停止情報と停止対象の撮像装置の識別情報と管理情報とを関連付けて記録する記録手段と、を有することを特徴とする請求項１ないし６のいずれか１項に記載のシステム。
【請求項８】
前記サービス利用停止情報は、前記撮像装置の識別情報と、利用停止日時とに関連付けて前記管理情報に登録されており、
サービスの利用が停止されるとその利用停止日時が登録されることを特徴とする請求項７に記載のシステム。
【請求項９】
前記機器設定装置は、
前記撮像装置からサービス利用要求を受信した場合、前記撮像装置から受信した管理情報を用いてサービス利用の可否を判定する手段と、
前記管理情報が有効であると判定された撮像装置のサービス利用を許可し、前記管理情報が有効でないと判定された撮像装置のサービス利用を不可とする手段と、を有することを特徴とする請求項１ないし８のいずれか１項に記載のシステム。
【請求項１０】
前記通信機器は、
前記撮像装置の利用が停止されたサービスに関して前記機器設定装置に前記撮像装置の利用が停止されているサービスの利用再開を要求する手段を有し、
前記機器設定装置は、
前記通信機器から受けたサービス利用再開要求に応じて前記撮像装置のサービス利用を再開するように前記サービス利用停止情報と停止対象の撮像装置の識別情報と管理情報とを更新する手段と、を有することを特徴とする請求項７または８に記載のシステム。
【請求項１１】
前記サービス利用停止情報は、ウェブページのＵＲＬであり、
前記サービス利用の停止または再開の要求は、前記ウェブページに含まれる利用停止または利用再開を実行するボタンを押下することにより実行されることを特徴とする請求項１０に記載のシステム。
【請求項１２】
サービスを利用する撮像装置と、サービスを提供する機器設定装置とに通信可能に接続され、前記撮像装置が利用するサービスに関する設定を行う通信機器であって、
前記撮像装置から、前記撮像装置の識別情報と、前記撮像装置が利用するサービスの設定に関する管理情報のうち、少なくとも前記識別情報を取得する取得手段と、
前記撮像装置から前記管理情報を受信した場合、前記通信機器に記録されている管理情報と比較し、前記撮像装置から取得した管理情報が異なっている場合、前記通信機器に記録されている管理情報を前記撮像装置に送信する第１の送信手段と、
前記撮像装置から前記管理情報を受信していない場合、前記機器設定装置に対して管理情報の発行要求を送信し、前記管理情報の発行要求に応じて前記機器設定装置から受信した管理情報を前記撮像装置に送信する第２の送信手段と、
前記撮像装置へ送信した管理情報と前記撮像装置から取得した識別情報とを関連付けて記録する記録手段と、を有することを特徴とする通信機器。
【請求項１３】
撮像装置が利用するサービスを提供する機器設定装置であって、
前記撮像装置が利用するサービスに関する設定を行う通信機器と通信する通信手段と、
前記通信機器から管理情報の発行要求を受信する受信手段と、
前記通信機器から受信した管理情報の発行要求に応じて、前記管理情報を生成し、前記通信機器へ送信する送信手段と、を有することを特徴とする機器設定装置。
【請求項１４】
機器設定装置が提供するサービスを利用する撮像装置であって、
前記撮像装置が利用するサービスに関する設定を行う通信機器と通信する通信手段と、
前記撮像装置の識別情報と、前記撮像装置が利用するサービスの設定に関する管理情報のうち、少なくとも前記識別情報を前記通信機器へ送信する第１の送信手段と、
前記通信機器から受信した管理情報を記録する記録手段と、
前記機器設定装置に対して、前記管理情報を用いてサービス利用要求を送信する要求手段と、を有することを特徴とする撮像装置。
【請求項１５】
サービスを利用する撮像装置と、サービスを提供する機器設定装置とに通信可能に接続され、前記撮像装置が利用するサービスに関する設定を行う通信機器の制御方法であって、
前記撮像装置から、前記撮像装置の識別情報と、前記撮像装置が利用するサービスの設定に関する管理情報のうち、少なくとも前記識別情報を取得する取得ステップと、
前記撮像装置から前記管理情報を受信した場合、前記通信機器に記録されている管理情報と比較し、前記撮像装置から取得した管理情報が異なっている場合、前記通信機器に記録されている管理情報を前記撮像装置に送信する第１の送信ステップと、
前記撮像装置から前記管理情報を受信していない場合、前記機器設定装置に対して管理情報の発行要求を送信し、前記管理情報の発行要求に応じて前記機器設定装置から受信した管理情報を前記撮像装置に送信する第２の送信ステップと、
前記撮像装置へ送信した管理情報と前記撮像装置から取得した識別情報とを関連付けて記録する記録ステップと、を有することを特徴とする方法。
【請求項１６】
撮像装置が利用するサービスを提供する機器設定装置の制御方法であって、
前記撮像装置が利用するサービスに関する設定を行う通信機器と通信する通信ステップと、
前記通信機器から管理情報の発行要求を受信する受信ステップと、
前記通信機器から受信した管理情報の発行要求に応じて、前記管理情報を生成し、前記通信機器へ送信する送信ステップと、を有することを特徴とする方法。
【請求項１７】
機器設定装置が提供するサービスを利用する撮像装置の制御方法であって、
前記撮像装置が利用するサービスに関する設定を行う通信機器と通信する通信ステップと、
前記撮像装置の識別情報と、前記撮像装置が利用するサービスの設定に関する管理情報のうち、少なくとも前記識別情報を前記通信機器へ送信する第１の送信ステップと、
前記通信機器から受信した管理情報を記録する記録ステップと、
前記機器設定装置に対して、前記管理情報を用いてサービス利用要求を送信する要求ステップと、を有することを特徴とする方法。
【請求項１８】
コンピュータを、請求項１２ないし１４のいずれか１項に記載された機器または装置の各手段として機能させるためのプログラム。
【請求項１９】
コンピュータを、請求項１２ないし１４のいずれか１項に記載された機器または装置の各手段として機能させるためのプログラムを格納したコンピュータにより読み取り可能な記憶媒体。
【発明の詳細な説明】
【技術分野】
【０００１】
本発明は、ネットワークサービスを提供する装置に対して、サービスを利用する機器に関する設定を、ユーザが通信機器を用いて行うための技術に関する。
【背景技術】
【０００２】
従来、ネットワークサービスを利用する機器に関する設定を行う場合、ユーザが自分の端末からメールアドレスをサーバへ送信し、サーバは受信したメールアドレスを仮登録する。そして、サーバは登録書式を記載したメールを仮登録されたメールアドレス宛に送信する。サーバは登録書式にしたがって入力された情報をユーザの端末から受信すると、受信した情報に関連付けてメールアドレスを記録することで、仮登録したメールアドレスを正式に登録する。登録後は、ユーザが端末から正式登録されたメールアドレスを入力することで、サーバは対応するサービスを提供する（特許文献１参照）。
【先行技術文献】
【特許文献】
【０００３】
【特許文献１】特開平０６−１９５３０７号公報
【発明の概要】
【発明が解決しようとする課題】
【０００４】
しかしながら、上記特許文献１では、ユーザは正式登録されるまでに端末から登録書式にしたがって種々の情報を入力しなければならず、非常に手間がかかる。また、種々の情報の入力が完了するまでは、ユーザは端末を用いてサービスを利用できない。
【０００５】
本発明は、上記課題に鑑みてなされ、その目的は、ネットワークサービスを提供する装置に対して、サービスを利用する機器に関する設定を、ユーザが通信機器を用いて簡単な手順で速やかに行うことができる技術を実現することである。
【課題を解決するための手段】
【０００６】
上記課題を解決し、目的を達成するために、本発明のシステムは、サービスを利用する撮像装置と、前記撮像装置が利用するサービスに関する設定を行う通信機器と、サービスを提供する機器設定装置とが通信可能に接続されたシステムであって、前記撮像装置は、前記通信機器と通信する通信手段と、前記撮像装置の識別情報と、前記撮像装置が利用するサービスの設定に関する管理情報のうち、少なくとも前記識別情報を前記通信機器へ送信する送信手段と、前記通信機器から受信した管理情報を記録する記録手段と、を有し、前記通信機器は、前記撮像装置から前記管理情報を受信した場合、前記通信機器に記録されている管理情報と比較し、前記撮像装置から取得した管理情報が異なっている場合、前記通信機器に記録されている管理情報を前記撮像装置に送信する第１の送信手段と、前記撮像装置から前記管理情報を受信していない場合、前記機器設定装置に対して管理情報の発行要求を送信し、前記管理情報の発行要求に応じて前記機器設定装置から受信した管理情報を前記撮像装置に送信する第２の送信手段と、前記撮像装置へ送信した管理情報と前記撮像装置から取得した識別情報とを関連付けて記録する記録手段と、を有し、前記機器設定装置は、前記通信機器と通信する通信手段と、前記通信機器から受信した管理情報の発行要求に応じて、前記管理情報を生成し、前記通信機器へ送信する第１の送信手段と、を有する。
【発明の効果】
【０００７】
本発明によれば、ネットワークサービスを提供する装置に対して、サービスを利用する機器に関する設定を、ユーザが通信機器を用いて簡単な手順で速やかに行えるようになる。
【図面の簡単な説明】
【０００８】
【図１】本実施形態のシステム構成図。
【図２】本実施形態の機器設定装置および通信機器の構成を示すブロック図。
【図３】本実施形態の撮像装置のブロック図。
【図４】本実施形態の管理情報のデータ構成を例示する図。
【図５】実施形態１の管理情報の発行／取得／記録処理を示すフローチャート。
【図６】実施形態１のサービス利用設定処理を示すフローチャート。
【図７】実施形態２の管理情報の発行／取得／記録処理を示すフローチャート。
【図８】実施形態２のサービス利用設定処理を示すフローチャート。
【図９】実施形態３の管理情報の発行／取得／記録処理を示すフローチャート。
【図１０】実施形態３の管理情報のデータ構成を例示する図。
【図１１】実施形態３のサービス利用停止処理を示すフローチャート。
【図１２】実施形態３のサービス利用可否判定処理を示すフローチャート。
【図１３】実施形態４の管理情報のデータ構成を例示する図。
【図１４】実施形態４のサービス利用停止処理を示すフローチャート。
【図１５】実施形態４のサービス利用再開処理を示すフローチャート。
【発明を実施するための形態】
【０００９】
以下に、添付図面を参照して本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１０】
［実施形態１］以下、本発明を、デジタルカメラ等の撮像装置と、スマートフォン等の携帯型通信機器と、サーバ装置等の機器設定装置とがネットワークを介して通信可能に接続されたシステムにより実現した実施形態について説明する。
【００１１】
＜システム構成＞先ず、図１を参照して、本実施形態のシステム構成について説明する。
【００１２】
本実施形態のシステムは、オンラインアルバムサイト等のネットワークサービスを利用する撮像装置１１０と、撮像装置１１０が利用するサービスに関する設定（以下、サービス利用設定）を行う１つまたは複数の通信機器１０２Ａ、１０２Ｂと、サービスを提供する機器設定装置１０５とからなる。本実施形態のシステムによれば、撮像装置１１０のサービス利用設定を、第１の通信機器１０２Ａや第２の通信機器１０２Ｂを用いて、ネットワーク１０４に接続された機器設定装置１０５で行うことができる。すなわち、撮像装置１１０がサービス利用設定を行うために十分な操作手段を備えていない場合であっても、ユーザが第１の通信機器１０２Ａや第２の通信機器１０２Ｂを用いて、ネットワーク１０４を通じて機器設定装置１０５に対してサービス利用設定を行うことができる。
【００１３】
機器設定装置１０５はサーバコンピュータ等の情報処理装置であり、サービスを利用する撮像装置１１０と、撮像装置１１０のサービス利用設定を行う第１および第２の通信機器１０２Ａ、１０２Ｂとにネットワーク１０４を介して通信可能に接続される。なお、機器設定装置１０５は単一のコンピュータであっても、必要に応じた複数のコンピュータに各機能を分散して構成しても良い。例えば、図４で後述する管理情報の登録や更新、削除等を管理する機能とオンラインサービスを提供する機能とを異なる装置で実現しても良い。なお、複数のコンピュータで構成される場合は、コンピュータ同士が互いに通信可能なようにＬＡＮ等で接続される。
【００１４】
撮像装置１１０は、ネットワーク１０４を介して情報の授受が可能な標準プロトコルで第１および第２の通信機器１０２Ａ、１０２Ｂと通信を行うことが可能である。撮像装置１１０は、ＨＴＴＰ等のプロトコルを用いて第１および第２の通信機器１０２Ａ、１０２Ｂにアクセスし、ＸＭＬ等の記述言語で作成された情報を送信し、ＨＴＭＬやＸＭＬ等の記述言語で作成された情報を取得して解析する。そして、撮像装置１１０は、解析した情報を表示部に表示し、ユーザに提示することができる。
【００１５】
なお、本実施形態では、サービス利用設定を行うために十分な操作手段を備えていない機器として、デジタルカメラ等の撮像装置１１０を例示しているが、カメラ機能を持たない情報処理装置であっても良い。
【００１６】
第１および第２の通信機器１０２Ａ、１０２Ｂは、スマートフォンやタブレット端末、パーソナルコンピュータ（ＰＣ）等であり、ネットワーク１０４を介して情報の授受が可能な標準プロトコルを有するウェブプログラムを動作させることが可能である。
【００１７】
第１および第２の通信機器１０２Ａ、１０２Ｂは、ウェブブラウザプログラムを動作させることにより、ＨＴＴＰ等のプロトコルを用いて撮像装置１１０と機器設定装置１０５にアクセスし、ＸＭＬ等の記述言語で作成された情報を送信し、ＨＴＭＬやＸＭＬ等の記述言語で作成された情報を取得して解析する。そして、第１および第２の通信機器１０２Ａ、１０２Ｂは、ウェブブラウザプログラムの指示に従って解析した情報を表示し、ユーザに提示することができる。
【００１８】
例えば、第１の通信機器１０２Ａを用いて、撮像装置１１０のサービス利用設定を行う場合、撮像装置１１０と第１の通信機器１０２Ａを有線または無線により接続する。第１の通信機器１０２Ａは、撮像装置１１０に管理ＩＤが記録されているか確認する。そして、撮像装置１１０に管理ＩＤが記録されていない場合は、第１の通信機器１０２Ａは、機器設定装置１０５から管理ＩＤを取得し記録すると共に、撮像装置１１０にも記録する。一方、撮像装置１１０に管理ＩＤが記録されている場合には、第１の通信機器１０２Ａは、撮像装置１１０から管理ＩＤを取得し記録する。このようにして、第１の通信機器１０２Ａは、ユーザ認証を行うためのＵＩ（ＩＤやパスワード入力等）なしに、機器設定装置１０５に対して撮像装置１１０のサービス利用設定を行うことができる。なお、上記管理ＩＤを発行し／取得し／記録する処理については後述する。
【００１９】
管理ＩＤは、撮像装置１１０を固有に識別するための機器ＩＤと関連付けられて、撮像装置ごとに機器設定装置１０５に登録されている。
【００２０】
第１および第２の通信機器（以下、単に通信機器ともいう）１０２Ａ、１０２Ｂは、撮像装置１１０の機器ＩＤを機器設定装置１０５に問い合わせることで、機器設定装置１０５に登録されている管理ＩＤを取得することができる。
【００２１】
このように、本実施形態によれば、撮像装置１１０のサービス利用設定を、ユーザ自身が所有する通信機器に限らず、他の通信機器でも行うことができる。
【００２２】
なお、本実施形態では、説明の便宜上、サービス利用設定を行う対象を撮像装置１１０としたが、スマートフォンやタブレット端末、ＰＣ等の汎用機器であっても良い。
【００２３】
なお、本発明は、管理情報の内容、撮像装置１１０と通信機器１０２Ａ、１０２Ｂとを接続する手段、管理ＩＤを発行し／取得し／記録する手段は特定の手段に限定されず、あらゆる既知の手段を用いることができる。
【００２４】
＜機器設定装置の構成＞図２を参照して、機器設定装置の構成および機能について説明する。
【００２５】
図２に示すように、機器設定装置１０５は、表示装置２０１、ＶＲＡＭ２０２、ＢＭＵ２０３、入力Ｉ／Ｆ２０４、制御部２０６、ＲＯＭ２０７、ＲＡＭ２０８、記憶装置２０９、ネットワークＩ／Ｆ２１１、バス２１２を有する。
【００２６】
表示装置２０１には、例えばサービス利用設定に関する管理情報、アイコン、メッセージ、メニューその他のユーザインタフェース情報が表示される。
【００２７】
ＶＲＡＭ２０２には、表示装置２０１に表示するための画像データが描画される。このＶＲＡＭ２０２に生成された画像データは、所定
の規定に従って表示装置２０１に転送され、これにより表示装置２０１に画像が表示される。
【００２８】
ＢＭＵ（ビットムーブユニット）２０３は、例えば、メモリ間（例えば、ＶＲＡＭ２０２と他のメモリとの間）のデータ転送や、メモリと各Ｉ／Ｏデバイス（例えば、ネットワークＩ／Ｆ２１１）との間のデータ転送を制御する。
【００２９】
入力Ｉ／Ｆ２０４は、各種スイッチ、ボタン、タッチパネル等の操作部材からなり、ユーザからの各種操作を受け付ける。
【００３０】
制御部２０６は、ＲＯＭ２０７や記憶装置２０９に格納されたＯＳや制御プログラムに基づいて、各デバイスを制御する。
【００３１】
ＲＯＭ２０７は、各種制御プログラムやデータを記憶している。
【００３２】
ＲＡＭ２０８は、制御部２０６のワーク領域、エラー処理時のデータの退避領域、制御プログラムのロード領域等を有する。
【００３３】
記憶装置２０９はハードディスクやメモリカード等であり、機器設定装置内で実行される各制御プログラムやコンテンツ、データを格納する。
【００３４】
ネットワークＩ／Ｆ２１１は、他の情報処理装置やプリンタ等とネットワーク１０４を介して通信を行う。
【００３５】
バス２１２は、アドレスバス、データバス及びコントロールバスを含む。
【００３６】
制御部２０６に対する制御プログラムの提供は、ＲＯＭ２０７や記憶装置２０９から行うこともできるし、ネットワークＩ／Ｆ２１１を介してネットワーク経由で他の情報処理装置等から行うこともできる。
【００３７】
なお、通信機器１０２Ａ、１０２Ｂも、上述した機器設定装置１０５と同様の構成および機能を有する、表示装置２２１、ＶＲＡＭ２２２、ＢＭＵ２２３、入力Ｉ／Ｆ２２４、制御部２２６、ＲＯＭ２２７、ＲＡＭ２２８、記憶装置２２９、ネットワークＩ／Ｆ２３１、バス２３２を有する。
【００３８】
＜撮像装置の構成＞次に、図３を参照して、撮像装置の構成および機能について説明する。
【００３９】
図３に示すように、撮影レンズ３０１はズームレンズ、フォーカスレンズを含むレンズ群である。シャッター３０２は絞り機能を備える。撮像部３０３は被写体の光学像を電気信号に変換するＣＣＤやＣＭＯＳ等で構成される撮像素子である。Ａ／Ｄ変換器３０４は、アナログ信号をデジタル信号に変換する。Ａ／Ｄ変換器３０４は、撮像部３０３から出力されるアナログ信号をデジタル信号に変換するために用いられる。バリア３０５は、撮像装置１１０の、撮影レンズ３０１を含む撮像系を覆うことにより、撮影レンズ３０１、シャッター３０２、撮像部３０３を含む撮像系の汚れや破損を防止する。
【００４０】
画像処理部３０６は、Ａ／Ｄ変換器３０４からのデータ、又は、メモリ制御部３０７からのデータに対し所定の画素補間、縮小といったリサイズ処理や色変換処理を行う。また、画像処理部３０６では、撮像した画像データを用いて所定の演算処理が行われ、得られた演算結果に基づいてシステム制御部３０８が露光制御、測距制御を行う。
【００４１】
Ａ／Ｄ変換器３０４からの出力データは、画像処理部３０６及びメモリ制御部３０７を介して、或いは、メモリ制御部３０７を介してメモリ３０９に直接書き込まれる。メモリ３０９は、撮像部３０３によって得られ、Ａ／Ｄ変換器３０４によりデジタルデータに変換された画像データや、表示部３１０に表示するための画像データを格納する。メモリ３０９は、所定枚数の静止画や所定時間の動画および音声を格納するのに十分な記憶容量を備えている。
【００４２】
また、メモリ３０９は画像表示用のメモリ（ビデオメモリ）を兼ねている。Ｄ／Ａ変換器３１１は、メモリ３０９に格納されている画像表示用のデータをアナログ信号に変換して表示部３１０に供給する。こうして、メモリ３０９に書き込まれた表示用の画像データはＤ／Ａ変換器３１１を介して表示部３１０により表示される。表示部３１０は、ＬＣＤ等の表示器上に、Ｄ／Ａ変換器３１１からのアナログ信号に応じた表示を行う。Ａ／Ｄ変換器３０４によって一旦Ａ／Ｄ変換され、メモリ３０９に蓄積されたデジタル信号をＤ／Ａ変換器３１１においてアナログ変換し、表示部３１０に逐次転送して表示することで、電子ビューファインダとして機能し、スルー画像表示を行える。
【００４３】
不揮発性メモリ３１２は、電気的に消去・記録可能なメモリであり、例えばＥＥＰＲＯＭ等が用いられる。不揮発性メモリ３１２には、システム制御部３０８の動作用の定数、プログラム等が記憶される。ここでいう、プログラムとは、本実施形態にて後述する各種フローチャートを実行するためのプログラムのことである。
【００４４】
システム制御部３０８は、撮像装置１１０全体を制御する。前述した不揮発性メモリ３１２に記録されたプログラムを実行することで、後述する本実施形態の各処理を実現する。３１３はシステムメモリであり、ＲＡＭが用いられる。システムメモリ３１３には、システム制御部３０８の動作用の定数、変数、不揮発性メモリ３１２から読み込んだプログラム等を展開する。また、システム制御部３０８はメモリ３０９、Ｄ／Ａ変換器３１１、表示部３１０等を制御することにより表示制御も行う。
【００４５】
モード切替スイッチ３１４、第１シャッタースイッチ３１５、第２シャッタースイッチ３１６、操作部３１７はシステム制御部３０８に各種の動作指示を入力するための操作手段である。
【００４６】
モード切替スイッチ３１４は、システム制御部３０８の動作モードを静止画記録モード、動画記録モード、再生モード等のいずれかに切り替える。
【００４７】
第１シャッタースイッチ３１５は、撮像装置１１０に設けられたシャッターボタンの操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００４８】
第２シャッタースイッチ３１６は、シャッターボタンの操作完了、いわゆる全押し（撮影指示）でオンとなり、第２シャッタースイッチ信号ＳＷ２を発生する。システム制御部３０８は、第２シャッタースイッチ信号ＳＷ２により、撮像部３０３からの信号読み出しから記録媒体３２５に画像データを書き込むまでの一連の撮影処理の動作を開始する。
【００４９】
操作部３１７の各操作部材は、表示部３１０に表示される種々の機能アイコンを選択操作することなどにより、シーンごとに適宜機能が割り当てられ、各種機能ボタンとして作用する。機能ボタンとしては、例えば実行ボタン、終了ボタン、戻るボタン、画像送りボタン、ジャンプボタン、絞込みボタン、属性変更ボタン等がある。例えば、メニューボタンが押されると各種の設定可能なメニュー画面が表示部３１０に表示される。ユーザは、表示部３１０に表示されたメニュー画面と、上下左右の４方向ボタンやＳＥＴボタンとを用いて直感的に各種設定を行うことができる。
【００５０】
なお、操作部３１７の１つとして、表示部３１０に対する接触を検知可能なタッチパネルを有する。
【００５１】
また、操作部３１７は、回転操作可能な操作部材であるコントローラホイール３１８およびコントローラリング３１９を含む。
【００５２】
コントローラホイール３１８は、方向ボタンと共に選択項目を指示するときなどに用いられる。コントローラホイール３１８を回転操作すると、操作量に応じて電気的なパルス信号が発生し、このパルス信号に基づいてシステム制御部３０８は撮像装置１１０の各部を制御する。このパルス信号によって、コントローラホイール３１８が回転操作された角度や、何回転したかなどを判定することができる。なお、コントローラホイール３１８は回転操作が検出できる操作部材であればどのようなものでも良い。例えば、ユーザの回転操作に応じてコントローラホイール３１８自体が回転してパルス信号を発生するダイヤル操作部材であっても良い。また、タッチセンサよりなる操作部材で、コントローラホイール３１８自体は回転せず、コントローラホイール３１８上でのユーザの指の回転動作などを検出するものであっても良い（いわゆる、タッチホイール）。
【００５３】
コントローラリング３１９は、レンズ鏡筒まわりの光軸を中心とした回転操作が可能な操作部材である。コントローラリング３１９を操作すると。回転量（操作量）に応じた電気的なパルス信号が発生し、このパルス信号に基づいてシステム制御部３０８は撮像装置１１０の各部を制御する。また、コントローラリング３１９の機能切替ボタンが押されると、コントローラリング３１９に割り当てる機能を変更可能なメニュー画面が表示部３１０に表示される。コントローラリング３１９およびコントローラホイール３１８は通常モード項目の選択や値の変更に用いられる。
【００５４】
電源スイッチ３２０は、撮像装置１１０の電源オン、電源オフを切り替える。
【００５５】
電源制御部３２１は、電池検出回路、ＤＣ−ＤＣコンバータ、通電するブロックを切り替えるスイッチ回路等により構成され、電池の装着の有無、電池の種類、電池残量の検出を行う。また、電源制御部３２１は、その検出結果及びシステム制御部３０８の指示に基づいてＤＣ−ＤＣコンバータを制御し、必要な電圧を必要な期間、記録媒体３２５を含む各部へ供給する。
【００５６】
電源部３２２は、アルカリ電池やリチウム電池等の一次電池やＮｉＣｄ電池やＮｉＭＨ電池、リチウムイオン電池等の二次電池、ＡＣアダプタ等からなる。
【００５７】
記録媒体Ｉ／Ｆ３２４は、メモリカードやハードディスク等の記録媒体３２５とのインターフェースである。記録媒体３２５は、撮影された画像を記録するためのメモリカード等の記録媒体であり、半導体メモリや磁気ディスク等から構成される。
【００５８】
通信部３２３は、無線アンテナや有線ケーブルによって通信可能に接続された外部機器と映像や音声の送受信を行う。
【００５９】
ネットワークＩ／Ｆ３２６は無線ＬＡＮやインターネット等のネットワーク１０４に接続可能であり、撮像部３０３で撮像された画像（スルー画像を含む）や記録媒体３２５に記録された画像ファイルを外部機器に送信でき、また、外部機器から画像データやその他の各種情報を受信できる。
【００６０】
なお、外部機器としては、第１の通信機器１０２Ａ、第２の通信機器１０２Ｂ、機器設定装置１０５が含まれる。
【００６１】
＜管理情報のデータ構成＞次に、図４（ａ）、（ｂ）を参照して、本実施形態の機器設定装置１０５で発行され、撮像装置１１０や通信機器１０２Ａ、１０２Ｂに記録される管理情報のデータ構成について説明する。
【００６２】
図４（ａ）において、４０１は、撮像装置１１０を一意に特定する機器ＩＤであり、例えば物理アドレス等のような識別情報である。４０２は、撮像装置１１０が利用するサービスを固有に識別するためのサービス利用ＩＤ４１３を管理する管理ＩＤである。これらの管理情報は、機器設定装置１０５や通信機器１０２Ａ、１０２ＢのＲＯＭ２０７、２２７や記憶装置２０９、２２９、撮像装置１１０の不揮発性メモリ３１２にそれぞれ記憶されている。
【００６３】
なお、図４（ｂ）に示すように、機器設定装置１０５には、管理ＩＤ４１２を保持する撮像装置１１０のサービス利用ＩＤ４１３が、当該管理ＩＤ４１２と関連付けられて管理情報に登録される。また、サービス利用ＩＤ４１３は、管理ＩＤ４１２を保持する撮像装置１１０が利用するサービスに関するサービス関連情報と関連付けて登録される。このサービス関連情報は、撮像装置１１０からの画像の転送先となるサイトを固有に識別するための名称やサイトのアカウント情報、メールアドレス、管理ＩＤを利用する際のパスワード等である。
【００６４】
＜管理情報の発行／取得／記録＞次に、図５を参照して、通信機器１０２Ａ、１０２Ｂが、撮像装置１１０または機器設定装置１０５から管理情報を取得し、記録する処理について説明する。
【００６５】
図５において、（ａ）は機器設定装置１０５、（ｂ）は通信機器１０２Ａ、１０２Ｂ、（ｃ）は撮像装置１１０の動作をそれぞれ示しているが、（ｂ）の処理は第１の通信機器１０２Ａが実行するものとして説明する。
【００６６】
なお、図５（ａ）および（ｂ）の処理は、機器設定装置１０５や第１の通信機器１０２Ａの制御部２０６、２２６がＲＯＭ２０７、２２７や記憶装置２０９、２２９に格納されたプログラムを実行し、上述した各部を制御することにより実現される。また、図５（ｃ）の処理は、撮像装置１１０のシステム制御部３０８が不揮発性メモリ３１２に格納されたプログラムを実行し、上述した各部を制御することにより実現される。
【００６７】
ステップＳ５０１では、第１の通信機器１０２Ａは、サービス利用設定を行う対象である撮像装置１１０との有線や無線による接続を確立する。
【００６８】
ステップＳ５０２では、撮像装置１１０は、第１の通信機器１０２Ａとの通信を開始する。
【００６９】
ステップＳ５０３では、撮像装置１１０は、機器ＩＤと管理ＩＤが記録されている場合は、第１の通信機器１０２Ａへ送信する。
【００７０】
ステップＳ５０４では、第１の通信機器１０２Ａは、撮像装置１１０から送信された機器ＩＤと管理ＩＤを受信する。
【００７１】
ステップＳ５０５では、第１の通信機器１０２Ａは、機器ＩＤを保持しているか否かを確認し、保持している場合はステップＳ５０６へ進み、保持してしない場合はステップＳ５１０へ進む。
【００７２】
ステップＳ５０６では、第１の通信機器１０２Ａは、保持している機器ＩＤに関連付けられた管理ＩＤと、撮像装置１１０から受信した管理ＩＤとを比較し、両者が同一であるか否かを判定する。判定の結果、同一である場合は処理を終了し、同一ではない場合はステップＳ５０７へ進む。
【００７３】
ステップＳ５０７では、第１の通信機器１０２Ａは、保持している機器ＩＤに関連付けられた管理ＩＤを撮像装置１１０へ送信し、処理を終了する。
【００７４】
ステップＳ５０８では、撮像装置１１０は、ステップＳ５０７またはＳ５１５において第１の通信機器１０２Ａから送信される管理ＩＤを受信したか否かを判定し、受信していない場合は処理を終了し、受信した場合はステップＳ５０９へ進む。
【００７５】
ステップＳ５０９では、撮像装置１１０は、第１の通信機器１０２Ａから受信した管理ＩＤを記録し、処理を終了する。
【００７６】
ステップＳ５１０では、第１の通信機器１０２Ａは、ステップＳ５０４において撮像装置１１０から管理ＩＤが送信されているか否かを判定し、送信されている場合はステップＳ５１６へ進み、送信されていない場合はステップＳ５１１へ進む。
【００７７】
ステップＳ５１１では、第１の通信機器１０２Ａは、ステップＳ５０４において撮像装置１１０から受信した機器ＩＤに対応する管理ＩＤの発行要求を機器設定装置１０５へ送信する。
【００７８】
ステップＳ５１２では、機器設定装置１０５は、第１の通信機器１０２Ａから管理ＩＤの発行要求を受信したか否かを判定する。この管理ＩＤ発行要求は、ステップＳ５１１において第１の通信機器１０２Ａから機器ＩＤと共に送信される。判定の結果、管理ＩＤ発行要求を受信していない場合は処理を終了し、受信した場合はステップＳ５１３へ進む。
【００７９】
ステップＳ５１３では、機器設定装置１０５は、機器ＩＤに対応する管理ＩＤを新たに発行し、第１の通信機器１０２Ａへ送信し、処理を終了する。
【００８０】
ステップＳ５１４では、第１の通信機器１０２Ａは、機器設定装置１０５から新たに発行された管理ＩＤを受信する。
【００８１】
ステップＳ５１５では、第１の通信機器１０２Ａは、機器設定装置１０５から受信した管理ＩＤを撮像装置１１０へ送信し、ステップＳ５１６へ進む。
【００８２】
ステップＳ５１６では、第１の通信機器１０２Ａは、ステップＳ５０４において撮像装置１１０から受信した機器ＩＤと管理ＩＤ、または機器設定装置１０５から受信した管理ＩＤを記録し、処理を終了する。
【００８３】
上述した処理によれば、通信機器１０２Ａ、１０２Ｂは、ユーザ認証を行うためのＵＩ（パスワード入力等）なしに、機器設定装置１０５に対して撮像装置１１０のサービス利用設定を行うことができる。
【００８４】
＜サービス利用設定＞次に、図６を参照して、撮像装置１１０のサービス利用設定を、通信機器１０２Ａ、１０２Ｂを用いて、機器設定装置１０５で行う処理について説明する。
【００８５】
図６において、（ａ）は機器設定装置１０５、（ｂ）は通信機器１０２Ａ、１０２Ｂの動作をそれぞれ示しているが、（ｂ）の処理は第１の通信機器１０２Ａが実行するものとして説明する。
【００８６】
なお、図６の処理は、機器設定装置１０５や第１の通信機器１０２Ａの制御部２０６、２２６がＲＯＭ２０７、２２７や記憶装置２０９、２２９に格納されたプログラムを実行し、上述した各部を制御することにより実現される。
【００８７】
ステップＳ６０１では、第１の通信機器１０２Ａは、ユーザ操作によりウェブブラウザが起動され、所定のＵＲＬに基づいてネットワーク１０４を介して機器設定装置１０５にアクセスする。
【００８８】
ステップＳ６０２では、機器設定装置１０５は、サービス設定画面を表示するための画面情報を第１の通信機器１０２Ａへ送信し、サービス関連情報の入力を許可する。
【００８９】
ステップＳ６０３、Ｓ６０４では、第１の通信機器１０２Ａは、サービス設定画面の画面情報を機器設定装置１０５から受信し、サービス設定画面を表示装置２２１に表示する。
【００９０】
ステップＳ６０５では、第１の通信機器１０２Ａは、サービス設定画面に対するユーザ操作を受け付けてサービス関連情報が入力される。
【００９１】
ステップＳ６０６では、第１の通信機器１０２Ａは、ＲＯＭ２２７や記憶装置２２９から読み出された管理ＩＤと、ステップＳ６０５で入力されたサービス関連情報を機器設定装置１０５へ送信する。
【００９２】
ステップＳ６０７、Ｓ６０８では、機器設定装置１０５は、サービス関連情報と管理ＩＤを第１の通信機器１０２Ａから受信し、それぞれをサービス利用ＩＤに関連付けて管理情報に登録する。
【００９３】
なお、サービス設定画面では、新規のサービス関連情報の入力だけでなく、既存のサービス関連情報を更新することも可能である。
【００９４】
以上のように、本実施形態によれば、サービスを利用する機器のサービス利用設定を、ユーザの端末を用いて簡単な手順で速やかに行うことができるようになる。
【００９５】
［実施形態２］次に、実施形態２として、通信機器１０２Ａ、１０２Ｂのアプリケーションが機器設定装置１０５および撮像装置１１０と通信を行い、撮像装置１１０のサービス利用設定の有無および管理ＩＤの利用履歴に基づいて、撮像装置１１０または機器設定装置１０５から管理情報を取得し、記録する処理について説明する。
【００９６】
なお、本実施形態のシステムの構成およびシステムを構成する機器や装置の構成は実施形態１と同様である。
【００９７】
＜管理情報のデータ構成＞まず、図４（ｃ）〜（ｅ）を参照して、本実施形態の機器設定装置１０５で発行され、撮像装置１１０、通信機器１０２Ａ、１０２Ｂに記録される管理情報のデータ構成について説明する。
【００９８】
図４（ｃ）において、実施形態２の機器設定装置１０５に登録される管理情報のデータ構成を例示している。４０３は、通信機器１０２Ａ、１０２Ｂにおいて実行されているアプリケーションを一意に特定するアプリケーションＩＤである。４０４は、撮像装置１１０を一意に特定する機器ＩＤである。４０５は、撮像装置１１０に対するサービス利用ＩＤを管理する管理ＩＤである。４０６は、管理ＩＤが利用されたか否かを判定するための利用状況に関する情報である。これらの管理情報は、機器設定装置１０５のＲＯＭ２０７や記憶装置２０９に記憶される。
【００９９】
図４（ｄ）は、実施形態２の通信機器１０２Ａ、１０２Ｂに記録される管理情報のデータ構成を例示している。４０７は、アプリケーションを一意に特定するアプリケーションＩＤである。４０８は、撮像装置１１０を一意に特定する機器ＩＤである。４０９は、撮像装置１１０に対するサービス利用ＩＤを管理する管理ＩＤである。
【０１００】
図４（ｅ）は、実施形態２の撮像装置１１０に記録される管理情報のデータ構成を例示している。４１０は、撮像装置１１０を一意に特定する機器ＩＤである。４１１は、撮像装置１１０に対するサービス利用ＩＤを管理する管理ＩＤである。
【０１０１】
＜管理情報の発行／取得／記録＞まず、図７を参照して、通信機器１０２Ａ、１０２Ｂのアプリケーションが、撮像装置１１０または機器設定装置１０５から管理情報を取得し、記録する処理について説明する。
【０１０２】
図７において、（ａ）は機器設定装置１０５、（ｂ）は通信機器１０２Ａ、１０２Ｂ、（ｃ）は撮像装置１１０の動作をそれぞれ示しているが、（ｂ）の処理は第１の通信機器１０２Ａが実行するものとして説明する。なお、通信機器は、撮像装置１１０のサービス利用設定を行った機器であっても、それ以外の機器であっても良い。
【０１０３】
なお、図７（ａ）および（ｂ）の処理は、機器設定装置１０５や第１の通信機器１０２Ａの制御部２０６、２２６が所定のアプリケーションプログラムを実行し、上述した各部を制御することにより実現される。また、図７（ｃ）の処理は、撮像装置１１０のシステム制御部３０８が不揮発性メモリ３１２に格納されたプログラムを実行し、上述した各部を制御することにより実現される。
【０１０４】
なお、図７のステップＳ７０６〜Ｓ７１１はそれぞれ、図５のステップＳ５０１〜Ｓ５０６と同様である。また、図７のステップＳ７１８〜Ｓ７２７はそれぞれ、図５のステップＳ５０７〜Ｓ５１６と同様である。よって、以下では、図５と異なる点を中心に説明を進める。
【０１０５】
ステップＳ７０１では、第１の通信機器１０２Ａは、機器設定装置１０５に対して撮像装置１１０のサービス利用設定を行うための所定のアプリケーションがアプリケーションＩＤを保持しているか否かを判定する。判定の結果、アプリケーションＩＤを保持している場合はステップＳ７０６へ進み、保持してしない場合はステップＳ７０２へ進む。
【０１０６】
ステップＳ７０２では、第１の通信機器１０２Ａのアプリケーションは、アプリケーションＩＤの取得要求を機器設定装置１０５へ送信する。
【０１０７】
ステップＳ７０３では、機器設定装置１０５は、第１の通信機器１０２ＡからアプリケーションＩＤの取得要求を受信したか判定し、アプリケーションＩＤ取得要求を受信していない場合はステップＳ７１３へ進み、受信した場合はステップＳ７０４へ進む。
【０１０８】
ステップＳ７０４では、機器設定装置１０５は、アプリケーションＩＤを第１の通信機器１０２Ａへ送信し、ステップＳ７１３へ進む。
【０１０９】
ステップＳ７０５では、第１の通信機器１０２Ａのアプリケーションは、機器設定装置１０５からアプリケーションＩＤを受信し、受信したアプリケーションＩＤを記録する。
【０１１０】
ステップＳ７０６では、第１の通信機器１０２Ａは、所定のアプリケーションがサービス利用設定を行う対象である撮像装置１１０との有線や無線による接続を確立する。
【０１１１】
ステップＳ７０７、Ｓ７０８では、撮像装置１１０は、第１の通信機器１０２Ａとの通信を開始し、機器ＩＤと管理ＩＤが記録されている場合は、第１の通信機器１０２Ａへ送信する。
【０１１２】
ステップＳ７０９、Ｓ７１０では、第１の通信機器１０２Ａのアプリケーションは、撮像装置１１０から機器ＩＤと管理ＩＤを受信し、機器ＩＤを保持しているか否かを判定する。判定の結果、機器ＩＤを保持している場合はステップＳ７１１へ進み、保持していない場合はステップＳ７２１へ進む。
【０１１３】
ステップＳ７１１では、第１の通信機器１０２Ａのアプリケーションは、保持している機器ＩＤと関連付けられた管理ＩＤと、ステップＳ７０９で撮像装置１１０から受信した管理ＩＤを比較し、両者が同一であるか否かを判定する。判定の結果、同一である場合は処理を終了し、同一ではない場合はステップＳ７１２へ進む。
【０１１４】
ステップＳ７１２では、第１の通信機器１０２Ａのアプリケーションは、保持しているアプリケーションＩＤとステップＳ７０９で撮像装置１１０から受信した管理ＩＤの利用確認要求を機器設定装置１０５へ送信する。
【０１１５】
ステップＳ７１３では、機器設定装置１０５は、第１の通信機器１０２ＡからアプリケーションＩＤと管理ＩＤの利用確認要求を受信したか否かを判定し、受信していない場合はステップＳ７２３へ進み、受信した場合はステップＳ７１４へ進む。
【０１１６】
ステップＳ７１４では、機器設定装置１０５は、アプリケーションＩＤと関連付けられて登録されている管理ＩＤが利用されているか否かを判定し、判定の結果を第１の通信機器１０２Ａへ送信する。なお、管理ＩＤが利用されているか否かは、例えば過去のサービス利用設定によりパスワードやメールアドレス等のサービス関連情報が設定済みならば、アプリケーションＩＤを用いたパスワード認証等の履歴から判定できるが、他の方法を用いても良い。
【０１１７】
ステップＳ７１５では、第１の通信機器１０２Ａのアプリケーションは、管理ＩＤの利用確認結果を機器設定装置１０５から受信する。
【０１１８】
ステップＳ７１６では、第１の通信機器１０２Ａのアプリケーションは、機器設定装置１０５から受信した管理ＩＤの利用確認結果に基づいて管理ＩＤが利用されているか否かを判定する。判定の結果、管理ＩＤが利用されていない場合はステップＳ７１７へ進み、利用されている場合はステップＳ７１８へ進む。
【０１１９】
ステップＳ７１７では、第１の通信機器１０２Ａのアプリケーションは、撮像装置１１０に新たに管理ＩＤを記録するために、保持している機器ＩＤと（利用されてない）管理ＩＤを初期化する。なお、初期化の方法は、削除その他の方法が用いられる。
【０１２０】
ステップＳ７１８では、第１の通信機器１０２Ａのアプリケーションは、保持している（利用されている）管理ＩＤを撮像装置１１０へ送信し、処理を終了する。
【０１２１】
ステップＳ７１９、Ｓ７２０では、撮像装置１１０は、ステップＳ７１８またはＳ７２６において第１の通信機器１０２Ａから管理ＩＤを受信した場合、受信した管理ＩＤを記録し、処理を終了する。
【０１２２】
その後、ステップＳ７２１〜Ｓ７２７では、図５のステップＳ５１０〜Ｓ５１６と同様の処理を行う。なお、ステップＳ７２２において第１の通信機器１０２Ａのアプリケーションから送信される管理ＩＤ発行要求は、アプリケーションＩＤおよび機器ＩＤと共に送信される。
【０１２３】
また、ステップＳ７２３、Ｓ７２４では、図５のステップＳ５１２、Ｓ５１３と同様の処理を行う。
【０１２４】
上述した処理によれば、撮像装置１１０に関するサービス利用設定を行っていない機器であっても、ユーザ認証を行うためのＵＩ（パスワード入力等）なしに、撮像装置１１０または機器設定装置１０５から管理情報を取得し記録することができる。
【０１２５】
＜サービス利用設定＞次に、図８を参照して、撮像装置１１０のサービス利用設定を、通信機器１０２Ａ、１０２Ｂを用いて、機器設定装置１０５で行う処理について説明する。
【０１２６】
図８において、（ａ）は通信機器１０２Ａ、１０２Ｂ、（ｂ）は機器設定装置１０５の動作をそれぞれ示しているが、（ａ）の処理は第１の通信機器１０２Ａが実行するものとして説明する。なお、通信機器は、撮像装置１１０のサービス利用設定を行った機器であっても、それ以外の機器であっても良い。
【０１２７】
なお、図８の処理は、機器設定装置１０５や第１の通信機器１０２Ａの制御部２０６、２２６がＲＯＭ２０７、２２７や記憶装置２０９、２２９に格納されたプログラムを実行し、上述した各部を制御することにより実現される。
【０１２８】
ステップＳ８０１では、第１の通信機器１０２Ａは、機器設定装置１０５へ管理ＩＤを送信し、ステップＳ８０２では、機器設定装置１０５は、第１の通信機器１０２Ａから管理ＩＤを受信する。
【０１２９】
ステップＳ８０３、Ｓ８０４、Ｓ８０５では、機器設定装置１０５は、第１の通信機器１０２Ａから受信した管理ＩＤに基づいてサービス利用ＩＤを検索してリストを生成し、第１の通信機器１０２Ａに送信する。
【０１３０】
ステップＳ８０６、Ｓ８０７では、第１の通信機器１０２Ａは、機器設定装置１０５からサービス利用ＩＤのリストを受信し、サービス利用ＩＤと対応するアイコンを表示装置２０１に一覧表示する。
【０１３１】
ユーザは、第１の通信機器１０２Ａに一覧表示されたアイコンから、所望のアイコンを選択することでアプリケーションを起動し、管理ＩＤに関連付けられたサービス関連情報を機器設定装置１０５から取得することができる。
【０１３２】
以上のように、本実施形態によれば、サービスを利用する機器のサービス利用設定を、ユーザの通信機器を用いて簡単な手順で速やかに行うことができるようになる。
【０１３３】
また、サービス利用設定を行った通信機器以外の他の機器であっても、簡単な手順で速やかにサービス利用設定を行うことができるようになる。
【０１３４】
［実施形態３］次に、サービス利用設定を行った通信機器１０２Ａ、１０２Ｂやサービスを利用する撮像装置１１０を遺失または譲渡した場合に、機器設定装置１０５に登録されている管理ＩＤを強制的に利用停止状態にする構成について説明する。
【０１３５】
本実施形態では、撮像装置１１０のサービス利用設定を行う際に、通信機器１０２Ａ、１０２Ｂにはサービス利用停止情報が記録され、撮像装置１１０を遺失または譲渡した後でも撮像装置１１０によるネットワークサービスの利用を停止することができる。
【０１３６】
なお、機器設定装置１０５には、管理ＩＤや機器ＩＤ、サービス利用ＩＤ、サービス利用停止情報等の管理情報が登録されている。
【０１３７】
なお、本実施形態のシステムの構成およびシステムを構成する機器や装置の構成は実施形態１と同様である。
【０１３８】
＜管理情報の発行／取得／記録＞ここで、図９を参照して、通信機器１０２Ａ、１０２Ｂが、撮像装置１１０または機器設定装置１０５からサービス利用停止情報を取得し、記録する処理について説明する。
【０１３９】
図９において、（ａ）は撮像装置１１０、（ｂ）は通信機器１０２Ａ、１０２Ｂ、（ｃ）は機器設定装置１０５の動作をそれぞれ示しているが、（ｂ）の処理は第１の通信機器１０２Ａが実行するものとして説明する。なお、通信機器は、撮像装置１１０のサービス利用設定を行った機器であっても、それ以外の機器であっても良い。
【０１４０】
なお、図９（ａ）の処理は、撮像装置１１０のシステム制御部３０８が不揮発性メモリ３１２に格納されたプログラムを実行し、上述した各部を制御することにより実現される。また、図９（ｂ）および（ｃ）の処理は、機器設定装置１０５や第１の通信機器１０２Ａの制御部２０６、２２６がＲＯＭ２０７、２２７や記憶装置２０９、２２９に格納されたプログラムを実行し、上述した各部を制御することにより実現される。
【０１４１】
ステップＳ９０１では、撮像装置１１０は、第１の通信機器１０２Ａに機器ＩＤを送信する。
【０１４２】
ステップＳ９０２、Ｓ９０３では、第１の通信機器１０２Ａは、撮像装置１１０から機器ＩＤを受信し、機器設定装置１０５へ管理ＩＤ発行要求を送信する。この管理ＩＤ発行要求には、ステップＳ９０２で受信した撮像装置１１０の機器ＩＤが含まれる。
【０１４３】
ステップＳ９０４、Ｓ９０５では、機器設定装置１０５は、第１の通信機器１０２Ａから送信された管理ＩＤ発行要求を受信し、新たな管理ＩＤとサービス利用停止情報を作成する。
【０１４４】
ステップＳ９０６では、機器設定装置１０５は、ステップ９０４で受信した管理ＩＤ発行要求に含まれる撮像装置１１０の機器ＩＤと、ステップＳ９０５で作成された管理ＩＤおよびサービス利用停止情報とを関連付けて管理情報に登録する。
【０１４５】
ステップＳ９０７では、機器設定装置１０５は、管理ＩＤとサービス利用停止情報を第１の通信機器１０２Ａに送信する。
【０１４６】
ステップＳ９０８、Ｓ９０９、Ｓ９１０では、第１の通信機器１０２Ａは、機器設定装置１０５から管理ＩＤとサービス利用停止情報を受信し、サービス利用停止情報を記録し、管理ＩＤを撮像装置１１０に送信する。
【０１４７】
ステップＳ９１１、Ｓ９１２では、撮像装置１１０は、第１の通信機器１０２Ａから管理ＩＤを受信し、受信した管理ＩＤを記録する。
【０１４８】
以上のように、本実施形態においては、撮像装置１１０には管理ＩＤが記録され、第１の通信機器１０２Ａにはサービス利用停止情報が記録され、機器設定装置１０５には機器ＩＤと管理ＩＤとサービス利用停止情報とが関連付けられた管理情報が登録される。そして、後述するサービス利用停止処理を行うことにより、撮像装置１１０によるネットワークサービスの利用を停止することができる。
【０１４９】
なお、既知の機器ＩＤに対して管理ＩＤ発行要求があった場合、機器設定装置１０５は管理情報から該当するレコードを削除し、新たな管理ＩＤを発行する。これにより、既にサービス利用設定が完了している撮像装置に対して、既存の設定の無効化と再設定を行うことができる。
【０１５０】
図１０は、サービス利用設定によって機器設定装置１０５に登録される管理情報を示しており、１００１は管理ＩＤ、１００２は機器ＩＤ、１００３はサービス利用停止情報である。サービス利用設定によってこれらの情報が関連付けられて１つのレコードとして登録される。
【０１５１】
＜サービス利用停止処理＞次に、図１１を参照して、本実施形態のサービス利用停止処理について説明する。
【０１５２】
サービス利用停止処理は、ユーザ操作により通信機器１０２Ａ、１０２Ｂから機器設定装置１０５へサービス利用停止要求を送信し、通信機器１０２Ａ、１０２Ｂからサービス利用停止要求を受信した機器設定装置１０５が実行する。以下では、第１の通信機器１０２Ａが実行するものとして説明する。
【０１５３】
なお、通信機器は、撮像装置１１０のサービス利用設定を行った機器であっても、それ以外の機器であっても良いが、サービス利用停止情報を保持している通信機器である。
【０１５４】
図１１の処理は、機器設定装置１０５の制御部２０６がＲＯＭ２０７や記憶装置２０９に格納されたプログラムを実行し、上述した各部を制御することにより実現される。
【０１５５】
ステップＳ１１０１では、機器設定装置１０５は、第１の通信機器１０２Ａからサービス利用停止要求を受信する。このサービス利用停止要求にはサービス利用停止情報が含まれている。
【０１５６】
ステップＳ１１０２では、機器設定装置１０５は、管理情報を更新する。ここで、機器設定装置１０５は、サービス利用停止情報に基づいて停止対象の管理ＩＤのレコードを管理情報から削除する。
【０１５７】
以上のように、機器設定装置１０５は、サービスの利用が停止された管理ＩＤのレコードを管理情報から削除する。このサービス利用停止処理は、サービス利用停止情報を保持している通信機器で実行できるため、サービス利用設定を行った撮像装置を遺失または譲渡した場合でも実行することができる。
【０１５８】
＜サービス利用可否判定処理＞次に、図１２を参照して、本実施形態のサービス利用可否判定処理について説明する。
【０１５９】
サービス利用可否判定処理は、撮像装置１１０がサービスを利用する際に実行される。機器設定装置１０５は、撮像装置１１０と直接通信を行い、撮像装置１１０からのサービス利用要求に対してサービス利用の可否を判定し、管理ＩＤが有効でないと判定された撮像装置１１０に対するサービス利用を不可とする。
【０１６０】
なお、図１２の処理は、機器設定装置１０５の制御部２０６がＲＯＭ２０７や記憶装置２０９に格納されたプログラムを実行し、上述した各部を制御することにより実現される。
【０１６１】
ステップＳ１２０１では、機器設定装置１０５は、撮像装置１１０からサービス利用要求を受信する。このサービス利用要求には管理ＩＤが含まれている。
【０１６２】
ステップＳ１２０２では、機器設定装置１０５は、管理ＩＤの有効性を判定する。この管理ＩＤの有効性の判定は、判定対象の管理ＩＤが機器設定装置１０５の管理情報に存在するか否かに基づいて行う。判定の結果、管理ＩＤが存在する場合はステップＳ１２０３に進み、機器設定装置１０５は、サービス利用を許可する。一方、管理ＩＤが存在しない場合はステップＳ１２０４に進み、機器設定装置１０５は、サービス利用を不可とする。
【０１６３】
以上のように、機器設定装置１０５は、撮像装置１１０からのサービス利用要求に対してサービス利用の可否を判定し、管理ＩＤが有効でないと判定された撮像装置１１０に対するサービス利用が不可となる。
【０１６４】
以上のように、本実施形態によれば、サービス利用設定を行った通信機器やサービスを利用する撮像装置を遺失や譲渡した場合であっても、サービスを提供する機器設定装置に登録されている管理ＩＤを強制的に利用停止状態にする。このようにして、本実施形態では、ユーザ認証等を行うことなく、遺失または譲渡した機器によるネットワークサービスの利用を停止することができ、サービスが不正利用されることを防止できる。
【０１６５】
なお、本実施形態では、図１０の管理ＩＤとサービス利用停止情報が別々のものとして説明したが、これらは同一の情報であっても良い。
【０１６６】
また、本実施形態では、通信機器１０２Ａ、１０２Ｂからサービス利用停止要求を送信する構成としたが、通信機器１０２Ａ、１０２Ｂが保持しているサービス利用停止情報を他の機器にコピーし、サービス利用停止要求を送信する構成であっても良い。
【０１６７】
［実施形態４］次に、実施形態４として、実施形態３によりサービスの利用を停止した状態を解除し、サービスの利用を再開する構成について説明する。
【０１６８】
本実施形態では、サービス利用停止情報がウェブページのＵＲＬである。また、通信機器１０２Ａ、１０２Ｂは、サービス利用可否判定の結果を識別可能に提示する。さらに、通信機器１０２Ａ、１０２Ｂは、サービス利用停止要求が行われた撮像装置１１０に対して、機器設定装置１０５にサービス利用再開要求を行うことができる。
【０１６９】
なお、本実施形態のシステムの構成およびシステムを構成する機器や装置の構成は実施形態１と同様である。また、本実施形態のサービス利用停止処理も実施形態３と同様である。
【０１７０】
図１３は、サービス利用設定によって機器設定装置１０５に登録される管理情報を示しており、１３０１は管理ＩＤ、１３０２は機器ＩＤである。１３０３はサービス利用停止情報であり、利用停止のためのウェブページのＵＲＬである。１３０４は利用停止日時情報である。利用停止日時情報１３０４は、サービス利用設定時には空であり、管理ＩＤの利用が停止されるとその利用停止日時が登録される。機器設定装置１０５は、利用停止日時情報１３０４を参照して、受信した管理ＩＤ１３０１が利用停止状態にあるか否かを判定することができる。利用が停止された管理ＩＤについては、機器設定装置１０５が、利用停止から一定期間が経過した時点で管理情報からレコードごと削除する。
【０１７１】
＜サービス利用停止処理＞次に、図１４を参照して、本実施形態のサービス利用停止処理について説明する。
【０１７２】
サービス利用停止処理は、ユーザ操作により通信機器１０２Ａ、１０２Ｂを介してサービス利用停止を行い、通信機器１０２Ａ、１０２Ｂからサービス利用停止要求を受信した機器設定装置１０５が実行する。
【０１７３】
図１４において、（ａ）は通信機器１０２Ａ、１０２Ｂ、（ｂ）は機器設定装置１０５の動作をそれぞれ示しているが、（ａ）の処理は第１の通信機器１０２Ａが実行するものとして説明する。なお、通信機器は、撮像装置１１０のサービス利用設定を行った機器であっても、それ以外の機器であっても良いが、サービス利用停止情報を保持している通信機器である。
【０１７４】
なお、図１４の処理は、機器設定装置１０５や第１の通信機器１０２Ａの制御部２０６、２２６がＲＯＭ２０７、２２７や記憶装置２０９、２２９に格納されたプログラムを実行し、上述した各部を制御することにより実現される。
【０１７５】
ステップＳ１４０１では、第１の通信機器１０２Ａは、サービス利用設定時に記憶したサービス利用停止情報であるウェブページのＵＲＬに基づいて、利用停止を行うためのウェブページを取得する。
【０１７６】
ステップＳ１４０２では、機器設定装置１０５は、第１の通信機器１０２Ａからウェブページ取得要求を受信する。このウェブページ取得要求には、サービス利用停止情報のＵＲＬが含まれている。
【０１７７】
ステップＳ１４０３では、機器設定装置１０５は、第１の通信機器１０２Ａから受信したサービス利用停止のＵＲＬに基づいて管理情報を参照し、管理ＩＤの有効性を判定する。管理ＩＤの有効性の判定は、判定対象の管理ＩＤが機器設定装置１０５の管理情報に存在し、かつその管理ＩＤの利用停止日時が空であるときに有効であると判定する。
【０１７８】
ステップＳ１４０４では、機器設定装置１０５は、管理ＩＤの有効性を示すウェブページを生成し、第１の通信機器１０２Ａに送信する。管理ＩＤが有効である場合、生成されるウェブページは利用停止を実行するためのボタンを含む。一方で、管理ＩＤが有効ではない場合、つまり、機器設定装置１０５の管理情報に存在しない場合や既に利用が停止されている場合には、ウェブページは利用再開を実行するためのボタンを含む。
【０１７９】
ステップＳ１４０５では、第１の通信機器１０２Ａは、機器設定装置１０５からウェブページを受信し、表示装置２０１に表示する。この処理により、第１の通信機器１０２Ａのユーザはサービス利用可否を確認できる。
【０１８０】
ステップＳ１４０６以降は、サービス利用停止を実行する処理であり、第１の通信機器１０２Ａは、サービス利用停止要求を機器設定装置１０５に送信する。この処理は、第１の通信機器１０２Ａのユーザが、ウェブページに含まれる利用停止を実行するボタンを押下することにより実行される。このサービス利用停止要求には、停止対象の管理ＩＤを特定するための情報を含む。これは管理ＩＤそのものであっても良いし、ウェブページのＵＲＬ等の他の情報であっても良い。
【０１８１】
ステップＳ１４０７では、機器設定装置１０５は、第１の通信機器１０２Ａからサービス利用停止要求を受信する。
【０１８２】
ステップＳ１４０８では、機器設定装置１０５は、管理情報を更新する。ここで、機器設定装置１０５は、サービス利用停止要求に基づいて停止対象の管理ＩＤを特定し、その管理ＩＤの利用停止日時を登録する。
【０１８３】
その後、図１２で説明したサービス利用可否判定処理を実行するが、本実施形態では、ステップＳ１２０２での管理ＩＤの有効性判定において、判定対象の管理ＩＤが管理情報に存在し、且つその管理ＩＤが利用停止されていない場合に有効であると判定する。
【０１８４】
＜サービス利用再開処理＞次に、図１５を参照して、本実施形態のサービス利用再開処理について説明する。
【０１８５】
サービス利用再開処理は、ユーザ操作により通信機器１０２Ａ、１０２Ｂから機器設定装置１０５へサービス利用再開要求を行い、通信機器１０２Ａ、１０２Ｂからサービス利用再開要求を受けた機器設定装置１０５が実行する。
【０１８６】
図１５において、（ａ）は通信機器１０２Ａ、１０２Ｂ、（ｂ）は機器設定装置１０５の動作をそれぞれ示しているが、（ａ）の処理は第１の通信機器１０２Ａが実行するものとして説明する。なお、通信機器は、撮像装置１１０のサービス利用設定を行った機器であっても、それ以外の機器であっても良いが、サービス利用停止情報を保持している通信機器である。
【０１８７】
なお、図１５の処理は、機器設定装置１０５や第１の通信機器１０２Ａの制御部２０６、２２６がＲＯＭ２０７、２２７や記憶装置２０９、２２９に格納されたプログラムを実行し、上述した各部を制御することにより実現される。
【０１８８】
なお、図１５のステップＳ１５０１、Ｓ１５０２、Ｓ１５０３、Ｓ１５０４、Ｓ１５０５は、図１４のステップＳ１４０１、Ｓ１４０２、Ｓ１４０３、Ｓ１４０４、Ｓ１４０５と同様である。よって、以下では、図１４と異なる点を中心に説明を進める。
【０１８９】
ステップＳ１５０６以降がサービス利用再開を実行する処理であり、第１の通信機器１０２Ａは、サービス利用再開要求を機器設定装置１０５に送信する。この処理は、第１の通信機器１０２Ａのユーザが、ウェブページに含まれる利用再開を実行するボタンを押下することにより実行される。このサービス利用再開要求には、再開対象の管理ＩＤを特定するための情報を含む。これは管理ＩＤそのものであっても良いし、ウェブページのＵＲＬなどの他の情報であっても良い。
【０１９０】
ステップＳ１５０７では、機器設定装置１０５は、第１の通信機器１０２Ａからサービス利用再開要求を受信する。
【０１９１】
ステップＳ１５０８では、機器設定装置１０５は、管理情報を更新する。ここで、機器設定装置１０５は、サービス利用再開要求に基づいて再開対象の管理ＩＤを特定し、その管理ＩＤの利用停止日時を空にする。
【０１９２】
なお、再開対象の管理ＩＤが、その利用再開期限を経過した等の理由により機器設定装置１０５の管理情報から削除されていた場合には、機器設定装置１０５は管理情報に新たなレコードを作成し、サービス利用再開要求に含まれている管理ＩＤとサービス利用停止情報と機器ＩＤを登録する。このようにすることで、管理ＩＤが再度利用可能となる。
【０１９３】
以上のように、本実施形態によれば、サービス利用が停止された管理ＩＤを再開することができる。
【０１９４】
なお、上述のように利用再開期限を経過した管理ＩＤについて再度利用可能とはしないで、利用再開期限を過ぎた旨を通信機器に通知する構成にしても良い。また、利用再開期限を設けず、サービス利用が停止された管理ＩＤのレコードも削除されずに残る構成にしても良い。
【０１９５】
以上のように、本実施形態によれば、ユーザ情報とサービスを利用する機器との関連付けを行うことなく、遺失または譲渡した機器によるネットワークサービスの利用を停止することができる。また、サービスの利用が停止された機器に対してサービスの利用を再開することもできる。
【０１９６】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2015115011.tif 000003
【図２】
2015115011.tif 000004
【図３】
2015115011.tif 000005
【図４】
2015115011.tif 000006
【図５】
2015115011.tif 000007
【図６】
2015115011.tif 000008
【図７】
2015115011.tif 000009
【図８】
2015115011.tif 000010
【図９】
2015115011.tif 000011
【図１０】
2015115011.tif 000012
【図１１】
2015115011.tif 000013
【図１２】
2015115011.tif 000014
【図１３】
2015115011.tif 000015
【図１４】
2015115011.tif 000016
【図１５】
2015115011.tif 000017